(57)【要約】  【課題】  シャフトが貫通するための軸孔の真円度、円筒度を高く製造することができ、それだけ、フォーカシング動作及びトラッキング動作を、円滑に且つ高精度に行うことができる光ヘッドを提供する。  【解決手段】  アクチュエータ２は、レンズホルダ２１と、ケース２２と、トラッキングコイル２１３及びフォーカシングコイル２１４に電力を供給する配線基板２３とを有し、レンズホルダ２１には、前端部３２の内径が後端部３３の内径よりも大きくなるようなテーパー状に形成される軸孔３１を備える円筒部３と、円筒部３と連結する連結部４１と、フォーカシングコイル２１４及び磁性板２１５の位置決めをする位置決め部４２とを有する位置決めリブ４とを備えている。【選択図】      図４
2007058917.tif 000002
【特許請求の範囲】
【請求項１】
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する永久磁石とを有
するケースと、
本体部と、前記本体部の端部に形成され対物レンズを保持するレンズ保持部と、前記本
体部の略中央より突出し前記シャフトに回動可能且つ摺動可能に外嵌する軸孔を有する円
筒部と、前記本体部と前記円筒部に連結する４個の位置決めリブと、前記位置決めリブ及
び前記円筒部が貫通する貫通孔を有する磁性板と、前記位置決めリブに外嵌するフォーカ
シングコイルと、前記本体の側部に取付固定されるトラッキングコイルとを有するレンズ
ホルダと、
前記ケース及び前記レンズホルダに取り付けられ、前記フォーカシングコイル及び前記
トラッキングコイルに電力を供給する配線基板とを有しており、
前記位置決めリブは前記円筒部と連結する連結部と、前記フォーカシングコイルの内部
及び前記磁性板の貫通孔と当接し、該フォーカシングコイル及び該磁性板の位置決めを行
う位置決め部とを有し、前記位置決め部と前記連結部は屈曲して接続しており、前記連結
部は互いに隣り合う連結部同士が９０°の中心角度をなすように配置され、
前記本体部の前記円筒部が突出しているのと反対側の面には前記軸孔周りに、該円筒部
の外周と略同じ形状を空けて円周状の凹溝が形成されており、
前記凹溝は内周円の内径が該円筒部の外周の１．３倍で、深さが前記本体部の半分で形
成されており、前記円筒部は、硬化による収縮で軸孔の両端部の内径が略一致するように
、前記本体部側の内径が大きいテーパー状に形成した後、硬化させることを特徴とする光
ヘッド。
【請求項２】
本体部と、前記本体部の端部に形成され対物レンズを保持するレンズ保持部と、前記本
体部の略中央より突出し前記シャフトに回動可能且つ摺動可能に外嵌する軸孔を有する円
筒部と、前記本体部と前記円筒部に連結する複数の位置決めリブと、前記位置決めリブ及
び前記円筒部が貫通する貫通孔を有する磁性板と、前記位置決めリブに外嵌するフォーカ
シングコイルと、前記本体の側部に取付固定されるトラッキングコイルとを有するレンズ
ホルダと、
前記位置決めリブは等中心角度間隔に配置され、
前記本体部の前記円筒部が突出しているのと反対側の面には前記軸孔周りに該円筒部の
外周と略同じ形状を隔てて円周状の凹溝が形成されており、
前記円筒部は、硬化による収縮で軸孔の両端部の内径が略一致するように、前記本体部
側の内径が大きいテーパー状に形成した後、硬化させることを特徴とする光ヘッド。
【請求項３】
前記位置決めリブは前記円筒部と連結する連結部と、前記フォーカシングコイルの内部
及び前記磁性板の貫通孔と当接し、該フォーカシングコイル及び該磁性板の位置決めを行
う位置決め部とを有し、前記位置決め部と前記連結部は屈曲して接続しており、前記連結
部は等中心角度間隔に配置されていることを特徴とする請求項２に記載の光ヘッド。
【発明の詳細な説明】
【技術分野】
【０００１】
本発明は、光ディスクにレーザ光を照射することでデータの記録及び（又は）読出しを
行うことができる光ディスク装置おいて、前記光ディスクにレーザ光を照射する光ヘッド
に関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図７は従来の光ヘッドのアクチュエータの一例の平面図である。図７に示すアクチュエ
ータ９２は、対物レンズＬｂと対物レンズＬｂを保持するレンズホルダ９３と、レンズホ
ルダ９３を支持するケース９４と、電力を供給する基板９５とを有している。
【０００４】
図８は図７に示すレンズホルダの底面図である。レンズホルダ９３は、本体部９３０と
、本体部９３０の端部に連設され、対物レンズＬｂを保持するレンズ保持部９３１と、ケ
ース９４に設けられた後述のシャフト９４３と摺動及び回動可能に外嵌する本体部９３０
の略中央に配置される軸孔９３２と、軸孔９３２の外壁と連結するとともに、レンズホル
ダ９３の本体部９３０から伸び後述のフォーカシングコイル９３５の位置決めをする４個
の位置決めリブ９３３と、レンズホルダ９３をシャフト９４３を中心に揺動させるための
トラッキングコイル９３４と、レンズホルダ９３をシャフト９４３に沿って摺動させるた
めのフォーカシングコイル９３５と、中央部を軸孔９３２が貫通する磁性板９３６とが取
り付けられる。フォーカシングコイル９３５は軸孔９３２の周囲を取り囲むように配置さ
れるものである。
【０００５】
位置決めリブ９３３はフォーカシングコイル９３５の形状に合わせて配置されているも
のであり、ここでは、軸孔９３２を中心に、互いに隣り合う位置決めリブ同士が１２０°
または６０°の角度をなすように配置されている。また、磁性板９３６はフォーカシング
コイル９３５を挟んで本体部９３０の反対側に配置されている。
【０００６】
図６に示すようにケース９４は平面視矩形状の底面９４１と、底面９４１の４辺から立
ち上がる立ち上がり壁９４２と、底面９４１からケース９４の内部に向かって突出するシ
ャフト９４３と、シャフト９４３を挟んで立ち上がり壁９４２に正対して配置される永久
磁石９４４とを有している。シャフト９４３は磁性体で形成されている。永久磁石９４４
とシャフト９４３の間には磁界が発生している。
【０００７】
永久磁石９４４とシャフト９４３の間の磁界にトラッキングコイル９３４及びフォーカ
シングコイル９３５が配置されている。トラッキングコイル９３４に電流を流すことで、
トラッキングコイル９３４にローレンツ力が発生する。このローレンツ力によって、レン
ズホルダ９３はシャフト９４３を中心に揺動される。また、フォーカシングコイル９３５
に電流を流すことで、フォーカシングコイル９３５にローレンツ力が発生する。このロー
レンツ力によって、レンズホルダ９３はシャフト９４３の軸方向に摺動する。
【０００８】
軸孔９３２はシャフト９４３に外嵌し、回動（トラッキング）及び（又は）摺動（フォ
ーカシング）するので、トラッキング及びフォーカシング動作を高精度に保つには軸孔９
３２の内周精度を高めるように製造する必要がある。
【０００９】
光ヘッドのアクチュエータ９２は樹脂の一体成形で製作されるものがほとんどであり、
樹脂の硬化の過程で均一に硬化せず残留応力が発生し、その残留応力によって変形した状
態で硬化する、いわゆる「ひけ」が発生する。軸孔９３２の近傍においてこの「ひけ」が
発生した場合、軸孔９３２の円筒度、軸孔９３２両端部の真円度が低下する。特に軸孔９
３２は本体部９３０及び磁性板９３６を保持するためのリブ９３３の収縮によって引っ張
られた場合、円筒度、真円度の低い軸孔が形成されてしまう。軸孔９３２の円筒度、真円
度が低下すると、シャフト９４３と軸孔９３２の係合が不完全になり、アクチュエータ９
２の動作（フォーカシング、トラッキング）が不安定になる。
【００１０】
そこで、軸孔の真円度を高めるために特開２００４−１５８１５６号公報に記載の発明
では軸孔の上端部及び下端部の周囲近傍が軸線方向に凹んでおり、全周に渡って均一な肉
厚をもって上方および下方に突き出た円筒部を備えているものが示されている。また、特
開２００３−２４８９４４号公報に記載の発明では、円筒部の肉厚を適正にとることで樹
脂の流動を安定化させるものが示されている。
【特許文献１】特開２００４−１５８１５６号公報
【特許文献２】特開２００３−２４８９４４号公報
【発明の開示】
【発明が解決しようとする課題】
【００１１】
しかしながら、光ヘッドはケース９４のシャフト９４３に軸孔９３２が嵌合し、そのシ
ャフト９４３を中心に回るトラッキング動作、シャフト９４３にそって摺動するフォーカ
シング動作を行うときに、永久磁石９４４の磁力によるローレンツ力にて駆動するので、
軸孔９３２とシャフト９４３との嵌合が必要であり、軸孔９３２の上端及び下端両端部の
真円度は高くなくてはならない。
【００１２】
よって、特開２００４−１５８１５６公報に記載の発明や、特開２００３−２４８９４
４号に記載の発明のように、肉厚の均一な円筒部を有するものの場合、軸孔の両端部の真
円度を高くするには肉厚を薄くしなくてはならず、強度が低下する。
【００１３】
そこで本発明は、シャフトが貫通するための軸孔の真円度、円筒度を高く製造すること
ができ、それだけ、フォーカシング動作及びトラッキング動作を、円滑に且つ高精度に行
うことができる光ヘッドを提供することを目的とする。
【課題を解決するための手段】
【００１４】
上記目的を達成するために本発明は、底部と、前記底部の端部より該底部に対して垂直
に突出する立ち上がり部と、前記底部の略中央に前記立ち上がり部と同じ方向に突出する
円柱状のシャフトと、前記立ち上がり部に前記シャフトを挟んで配置され前記シャフトと
の間に磁界を形成する永久磁石とを有するケースと、本体部と、前記本体部の端部に形成
され対物レンズを保持するレンズ保持部と、前記本体部の略中央より突出し前記シャフト
に回動可能且つ摺動可能に外嵌する軸孔を有する円筒部と、前記本体部と前記円筒部に連
結する４個の位置決めリブと、前記位置決めリブ及び前記円筒部が貫通する貫通孔を有す
る磁性板と、前記位置決めリブに外嵌するフォーカシングコイルと、前記本体の側部に取
付固定されるトラッキングコイルとを有するレンズホルダと、前記ケース及び前記レンズ
ホルダに取り付けられ、前記フォーカシングコイル及び前記トラッキングコイルに電力を
供給する配線基板とを有しており、前記位置決めリブは前記円筒部と連結する連結部と、
前記フォーカシングコイルの内部及び前記磁性板の貫通孔と当接し、該フォーカシングコ
イル及び該磁性板の位置決めを行う位置決め部とを有し、前記位置決め部と前記連結部は
屈曲して接続しており、前記連結部は互いに隣り合う連結部同士が９０°の中心角度をな
すように配置され、前記本体部の前記円筒部が突出しているのと反対側の面には前記軸孔
周りに該円筒部の外周と略同じ形状を隔てて円周状の凹溝が形成されており、該凹溝は内
周円の内径が該円筒部の外周の１．３倍で、深さが前記本体部の半分であり、前記円筒部
は、硬化による収縮で軸孔の両端部の内径が略一致するように、前記本体部側の内径が大
きいテーパー状に形成した後、硬化させることを特徴とする光ヘッドを提供する。
【００１５】
この構成によると、前記レンズホルダは硬化収縮によって前記軸孔の円筒度及び該軸孔
の両端部の真円度が高くなる。また、前記軸孔の両端部の内径が略等しくなるので、前記
軸孔が前記シャフトに嵌合するときでも、がたつきを防止することができ、それだけ、フ
ォーカシング動作及びトラッキング動作を円滑に精度よく行うことができる。
【００１６】
また、前記レンズホルダのがたつきを抑制するための側圧が適切に付与するので、フォ
ーカシング動作時の摺動を円滑に行うことが可能である。
【００１７】
フォーカシング動作及びトラッキング動作が円滑に精度よく行われることで、光ディス
クの記録面に結像されるレーザスポットのトラック追従性が高くなり、それだけ、光ディ
スクへのデータの記録又は光ディスクからのデータの読出しを高精度に実行することが可
能である。
【００１８】
上記目的を達成するために本発明は、本体部と、前記本体部の端部に形成され対物レン
ズを保持するレンズ保持部と、前記本体部の略中央より突出し前記シャフトに回動可能且
つ摺動可能に外嵌する軸孔を有する円筒部と、前記本体部と前記円筒部に連結する複数の
位置決めリブと、前記位置決めリブ及び前記円筒部が貫通する貫通孔を有する磁性板と、
前記位置決めリブに外嵌するフォーカシングコイルと、前記本体の側部に取付固定される
トラッキングコイルとを有するレンズホルダと、前記位置決めリブは等中心角度間隔に配
置され、前記本体部の前記円筒部が突出しているのと反対側の面には前記軸孔周りに該円
筒部の外周と略同じ形状を隔てて円周状の凹溝が形成されており、前記円筒部は、硬化に
よる収縮で軸孔の両端部の内径が略一致するように、前記本体部側の内径が大きいテーパ
ー状に形成した後、硬化させることを特徴とする光ヘッドを提供する。
【００１９】
この構成によると、前記レンズホルダは硬化収縮によって前記軸孔の円筒度及び該軸孔
の両端部の真円度が高くなる。また、前記軸孔の両端部の内径が略等しくなるので、前記
軸孔が前記シャフトに嵌合するときでも、がたつきを防止することができ、それだけ、フ
ォーカシング動作及びトラッキング動作を円滑に精度よく行うことができる。
【００２０】
また、前記レンズホルダのがたつきを抑制するための側圧が適切に付与するので、フォ
ーカシング動作時の摺動を円滑に行うことが可能である。
【００２１】
フォーカシング動作及びトラッキング動作が円滑に精度よく行われることで、光ディス
クの記録面に結像されるレーザスポットのトラック追従性が高くなり、それだけ、光ディ
スクへのデータの記録又は光ディスクからのデータの読出しを高精度に実行することが可
能である。
【００２２】
上記構成において前記位置決めリブは、前記円筒部と連結する連結部と、前記フォーカ
シングコイルの内部及び前記磁性板の貫通孔と当接し、該フォーカシングコイル及び該磁
性板の位置決めを行う位置決め部とを有し、前記位置決め部と前記連結部は屈曲して接続
しており、前記連結部は等中心角度間隔に配置されているものであってもよい。
【発明の効果】
【００２３】
本発明によると、シャフトが貫通するための軸孔の真円度、円筒度を高く製造すること
ができ、それだけ、フォーカシング動作及びトラッキング動作を、円滑に且つ高精度に行
うことができる光ヘッドを提供することができる。
【発明を実施するための最良の形態】
【００２４】
以下に本発明の実施形態を図面を参照して説明する。図１は光ヘッドの一例の配置図で
ある。図１に示す光ヘッドＡは、レーザ光源Ｌｄと、ミラーＭｒと、コリメータレンズＬ
ｃと、対物レンズＬｂと、ビームスプリッタＢｓと、受光素子Ｐｄとを有している。レー
ザ光源Ｌｄより照射されたレーザ光はミラーＭｒで反射され、コリメータレンズＬｃに入
射し、平行光に変化してコリメータレンズＬｃより出射する。コリメータレンズＬｃより
出射したレーザ光は対物レンズＬｂに入射し対物レンズＬｂより光ディスクＤｓに照射さ
れる。
【００２５】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００２６】
図２は本発明に係る光ヘッドの平面図であり、図３は図２に示す光ヘッドの側面図であ
る。図２、図３に示すように光ヘッドＡはコリメータレンズＬｃを支持するベース１と、
対物レンズＬｂを駆動するためのアクチュエータ２とを備えている。ベース１の側面には
光ヘッドＡのディスクトラック方向（ディスク半径方向）への動作を規制するための軸１
０が摺動可能に貫通する摺動孔１１と、摺動孔１１に隣接して形成されるラックギア１２
と、ラックギア１２と歯合するピニオンギア１３とを備えている。光ヘッドＡはピニオン
ギア１３の回動をラックギア１２に伝達することで、摺動するものである。光ヘッドＡを
摺動することで、光ディスクＤｓの記録面上の必要な情報が記録されている部分にレーザ
スポットを速やかに照射するものである。
【００２７】
アクチュエータ２はベース１にボルト留めにて固定される。アクチュエータ２は、対物
レンズＬｂを保持するためのレンズホルダ２１と、内部にレンズホルダ２１を配置するケ
ース２２と、レンズホルダ２１に設けられた後述するトラッキングコイル２１３及びフォ
ーカシングコイル２１４にそれぞれ独立して電力を供給する配線基板２３とを有している
。
【００２８】
ケース２２は平面視矩形状を有しており、底部２２１と、底部２２１の周囲から底部２
２１と垂直に立ち上がる立ち上がり部２２２と、底部２２１の略中央部に立ち上がり部２
２２と同じ方向に突出する円筒形状のシャフト２２３と、立ち上がり部２２２に配置され
、シャフト２２３を挟んで対向して配置される２個の永久磁石２２４とを有している（永
久磁石は２個に限定されるものではない）。
【００２９】
シャフト２２３は磁性体で形成されており、永久磁石２２４とシャフト２２３の間には
磁界が形成されている。永久磁石２２４の磁界はそれには限定されないが、いずれの磁界
も磁力線の向きが永久磁石２２４からシャフト２２３に向かっている。底部２２１にはレ
ーザ光が通過するための貫通した光通過孔２２０が形成されている。
【００３０】
図４は図２に示す光ヘッドに用いられるレンズホルダの側面図であり、図５は図４に示
すレンズホルダの平面図であり、図６は図４に示すレンズホルダの底面図である。レンズ
ホルダ２１は、樹脂の一体成形にて形成されるものであり、本体部２１１と、対物レンズ
Ｌｂを保持し本体部２１１の端部に形成されるレンズ保持部２１２と、本体部２１１の略
中央を貫通し、シャフト２２３と摺動可能且つ回動可能に外嵌する軸孔３１を有する円筒
部３と、円筒部３を支持するように配置され、後述のフォーカシングコイル２１４の位置
決めを行う位置決めリブ４と、レンズ保持部２１２の側面に円筒部３を挟んで対面して配
置されるトラッキングコイル２１３と、円筒部３を取り囲むように配置されるフォーカシ
ングコイル２１４と、フォーカシングコイル２１４の下面に円筒部３の中心軸と直行する
ように配置される磁性板２１５とを有している。
【００３１】
本体部２１１と円筒部３とは一体で且つ、円筒部３は本体部２１１に対して直交するよ
うに形成されている。図４に示すように円筒部３は中央を貫通する軸孔３１と、本体部２
１１と隣接する前端部３２と、ケース２２の底面２２１側に突出する後端部３３とを有し
ている。軸孔３１は前端部３２の内径が後端部３３の内径よりも大きくなるようなテーパ
ー状に形成されている。
【００３２】
軸孔３１の前端部３２の周囲には、円筒部３の外径よりも外側に溝３４が形成されてい
る。溝３４はそれには限定されないが、ここでは、溝の内周Ｔが円筒部３の外径ｔの１．
３倍、深さｈが本体部２１１の厚さＨの半分になるように形成されている（図５、図６参
照）。
【００３３】
軸孔３１の前端部３２は本体部２１１に囲まれているので引けを発生しやすい。そこで
、溝３４を形成することで前端部３２のひけの発生を抑制することができる。しかし、ひ
けによる軸孔３１の前端部３２と後端部３３の内径の差は小さくなるが、発生する。そこ
で、軸孔３１を前端部３２の内径を後端部３３の内径よりも大きくなるようにテーパー形
状に形成することで、樹脂が硬化した後に、軸孔３１の前端部３２と後端部３３とを略同
じ内径になるようにすることができる。
【００３４】
軸孔３１のテーパー形状はそれには限定されないが、軸孔を一度テーパーを付けない円
筒形状のピンで形成し、このときの軸孔３１の前端部３２と後端部３３との内径のひけを
確認し、そのひけを元にテーパー形状を決定するものを挙げることができる。
【００３５】
位置決めリブ４は円筒部３と連結する連結部４１と、フォーカシングコイル２１４の位
置決めをする位置決め部４２とを有している。位置決めリブ４の連結部４１は円筒部３に
等中心角度（ここでは９０°）間隔で配置されている。また、連結部４１と位置決め部４
２とは、連結して形成されており、連結部４３で屈曲して連結されている。
【００３６】
連結部４１は円筒部３が硬化するよりも先に硬化する。それゆえ、円筒部３は連結部４
１の収縮による応力により、ひけが発生する。ここで連結部４１が円筒部３に等中心角度
間隔に配置されているので、応力をより均一にかけることができ、引けが発生するときに
、楕円形に引けるのを防止することができる。楕円形に引けることで、楕円の短軸がシャ
フト２２３の径よりも小さくなり、軸孔３１にシャフト２２３が干渉し、トラッキング動
作及びフォーカシング動作を行うときに、摩擦によって円滑に動作しない不具合が発生す
るのを抑制することができる。
【００３７】
このことにより、軸孔３１の前端部３２及び後端部３３で内径を略同じになるとともに
真円度が高くなる。すなわち、円筒部３の軸孔３１は両端部で真円度が高く、内径が略等
しいので、シャフト２２１を貫通させたときに、両端部で精度よく係合するので、軸孔３
１とシャフト２２１とのガタを防ぐことができる。
【００３８】
トラッキングコイル２１３及びフォーカシングコイル２１４には配線基板２３より電力
が供給される。配線基板２３はケース２２に取り付けられるメイン基板２３１と、レンズ
ホルダ２１に取り付けられるサブ基板２３２と、メイン基板２３１とサブ基板２３２を接
続するための接続基板２３３とを有している。配線基板２３（少なくとも接続基板２３３
）はレンズホルダ２１のトラッキング動作及びフォーカシング動作によって破損しないよ
うな柔軟性を有するもの、例えばＦＦＣ（Flexible Flat Cable）、ＦＰＣ（Flexible Pr
inted Circuit）等のケーブルが採用されている。
【００３９】
図６に示すようにトラッキングコイル２１３は導線が矩形状にまかれたコイルであり、
レンズホルダ２１の側面に円筒部３の中心軸と平行な方向に延びる導線がシャフト２２３
と永久磁石２２４の間に発生する磁界内に入るように形成されている。また、フォーカシ
ングコイル２１４は導線が矩形状に巻かれたコイルであり導線の側面が磁界内に入るよう
に且つ円筒部３の中心軸を取り囲むように配置されている。
【００４０】
トラッキングコイル２１３の導線に電流が流されることで、磁界内に配置された導線に
磁束方向及び電流の流れる方向の両方に直交する方向、すなわち、軸孔２１２の周方向に
ローレンツ力が発生する。円筒部３を挟んで配置されたトラッキングコイル２１３で電流
の流れ方向を調整し、ローレンツ力の方向を調整することで、レンズホルダ２１をシャフ
ト２２３を中心に回転させることができる。すなわち、電流の流れ方向を適当に変化させ
ることで対物レンズＬｂをシャフト２２３を中心に揺動させることができる。この揺動に
よって、対物レンズＬｂの焦点位置を光ディスクＤｓの記録面にそって駆動させ正しい位
置にレーザスポットを照射するトラッキング動作を行うことができる。
【００４１】
フォーカシングコイル２１４も同様に磁界内に配置された導線に電流が流されることで
、導線に磁束方向及び電流の流れる方向の両方に直交する方向、すなわち、軸孔２１２の
軸方向にローレンツ力が発生する。ローレンツ力によってレンズホルダ２１はシャフト２
２３の軸方向に摺動する。電流の向きを適当に変化させることで、レンズホルダ２１をシ
ャフト２２３の軸方向に往復摺動させることができ、光ディスクＤｓの記録面に焦点を合
わせるためのフォーカシング動作を行うことができる。
【００４２】
磁性板２１５はフォーカシングコイル２１４の本体部２１１の反対側と接触することで
位置決めされている。また、磁性板２１５の内部には貫通孔２１５１が形成されており、
貫通孔２１５１には、位置決めリブ４の位置決め部４２と接触することで位置決めされる
。これにより、磁性板２１５が円筒部３の回りに回転するのを抑制することができる。
【００４３】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００４４】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００４５】
【図１】光ヘッドの一例の配置図である。
【図２】本発明に係る光ヘッドの平面図である。
【図３】図２に示す光ヘッドの側面図である。
【図４】図２に示す光ヘッドに用いられるレンズホルダの側面図である。
【図５】図４に示すレンズホルダの平面図である。
【図６】図４に示すレンズホルダの底面図である。
【図７】従来の光ヘッドのアクチュエータの一例の平面図である。
【図８】図７に示すレンズホルダの底面図である。
【符号の説明】
【００４６】
Ｄｓ  光ディスク
Ｍｒ  ミラー
Ｂｓ  ビームスプリッタ
Ｌｄ  レーザ光源
Ｐｄ  受光部
Ｌｃ  コリメータレンズ
Ｌｂ  対物レンズ
１  ベース
２  アクチュエータ
２１  レンズホルダ
２１１  本体部
２１２  レンズ保持部
２１３  トラッキングコイル
２１４  フォーカシングコイル
２１５  磁性板
２２  ケース
２２１  底部
２２２  立ち上がり部
２２３  シャフト
２２４  永久磁石
２３  配線基板
２３１  メイン基板
２３２  サブ基板
２３３  接続基板
３  円筒部
３１  軸孔
３２  前端部
３３  後端部
３４  溝
４  位置決めリブ
４１  連結部
４２  位置決め部
【図１】
2007058917.tif 000003
【図２】
2007058917.tif 000004
【図３】
2007058917.tif 000005
【図４】
2007058917.tif 000006
【図５】
2007058917.tif 000007
【図６】
2007058917.tif 000008
【図７】
2007058917.tif 000009
【図８】
2007058917.tif 000010